(57)【要約】本発明は深井戸用水中モーターポンプ保護揚水パイプに関することで、深井戸に設置される揚水パイプを安全に施工して水中モーターポンプによって安定的に揚水することができるようになる。このために本発明は、水中モーターポンプが付着する第１パイプと第２ないし第３…第ｎパイプで連結された揚水パイプを試錐孔に施工するための案内手段が備えられた深井戸用水中モーターポンプ保護揚水パイプにおいて、前記第１パイプを包むように長手方向に沿って半分に分割されて、上部及び下部に第１固定部が形成されて前記第１固定部の間に拡張部が形成されて表面には長方向の切開部が形成されているパッキングと、前記第１固定部に結合してパッキングを揚水パイプに固定するクランプバンドとが備えられ、前記第１パイプに挟まれてパッキングの両端に固定されて外面に形成される垂直型第１及び第２ガイドが、お互いに交差するように射出成形することによって、前記第１及び第２ガイドの間に用意されている空間部によって電線及びワイヤロープが通過するようになった第１カップルリングで構成されることを特徴とする。【選択図】図１
2017514044.tif 000002
【特許請求の範囲】
【請求項１】
水中モーターポンプ（Ｍ）が付着する第１パイプ（Ｐ１）と第２ないし第３…第ｎパイプ（Ｐ２、Ｐ３…Ｐｎ）で連結された揚水パイプ（Ｐ）を試錐孔Ｈに施工するための案内手段が備えられた深井戸用水中モーターポンプ保護パッキングと水中電線安全装置において、
前記第１パイプ（Ｐ１）を包むように長手方向に沿って半分に分割されて、上部及び下部に第１固定部１４が形成されて、前記第１固定部（１４）の間に拡張部（１２）が形成されて表面には長方向の切開部（１６、１８）が形成されているパッキング（１０）と、前記第１固定部（１４）に結合してパッキング（１０）を揚水パイプ（Ｐ）に固定するクランプバンド（２０）とが備えられ、
前記第１パイプ（Ｐ１）に挟まれてパッキング（１０）の両端に固定されて、外面に形成される垂直型第１及び第２ガイド（３２、３４）がお互いに交差するように射出成形することによって、前記第１及び第２ガイド（３２、３４）の間に用意されている空間部（３５）によって電線（Ｅ）及びワイヤロープ（Ｗ）が通過するようになった第１カップルリング（３０）で構成されることを特徴とする深井戸用水中モーターポンプ保護揚水パイプ。
【請求項２】
前記第１カップルリング（３０）は、第１ガイド（３２）に形成された突出部（３３）がクランプバンド（２０）の外側を挟みながら固定するように構成されることを特徴とする請求項１に記載の深井戸用水中モーターポンプ保護揚水パイプ。
【請求項３】
前記パッキング（１０）は、複数の拡張部（１２）が所定の間隔で離隔されて前記拡張部（１２）の間に括れている第２固定部（１５）を形成してクランプバンド（２０）で固定するように構成されることを特徴とする請求項１に記載の深井戸用水中モーターポンプ保護揚水パイプ。
【請求項４】
前記第１ないし第ｎパイプ（Ｐ１… Ｐｎ）の上端に付着して外面には垂直型第１及び第２ガイド（３２、３４）をお互いに交差するように形成して、前記第１及び第２ガイド（３２、３４）の間に用意された空間部（３５）へ電線（Ｅ）及びワイヤロープ（Ｗ）が通過するようになった第２カップルリング（３０ａ）と、
前記第１ないし第ｎパイプ（Ｐ１… Ｐｎ）の下端に付着して、第２カップルリング（３０ａ）にネジ接続される連結管体（４０）とを、含んで構成されることを特徴とする請求項１に記載の深井戸用水中モーターポンプ保護揚水パイプ。
【請求項５】
前記第２カップルリング（３０ａ）は、内側の中間部に段差（３６）が形成されて前記段差（３６）の上部に、第１ないし第ｎパイプ（Ｐ１、Ｐ２…Ｐｎ）を挿入し接合して、下部に形成された雌ねじ（３７）に連結管体（４０）がネジ接続するようになったことを特徴とする請求項４に記載の深井戸用水中モーターポンプ保護揚水パイプ。
【発明の詳細な説明】
【技術分野】
【０００１】
本発明は深井戸用水中モーターポンプ保護揚水パイプに関し、より具体的には深井戸に設置される揚水パイプを安全に施工して水中モーターポンプによって安定的に揚水することができる深井戸用水中モーターポンプ保護揚水パイプに関するものである。
【背景技術】
【０００２】
一般的に地中の地下水、温泉水などを地上に引き上げるために、地層の深い所まで穴を試錐した後、その試錐孔の中に水中モーターポンプを投入して水を地上に引き上げて飲用水、温泉水または農水産業用水などで有効に使われる。
【０００３】
このような深井戸地下水の開発過程に対する技術を図１を参照して簡略に見れば、掘削装備を利用して掘削される試錐孔Ｈが一直線に掘削されなく、不規則な方向に掘削されているので揚水パイプＰはもちろん水中モーターポンプＭが岩壁にぶつかるとか岩壁に接触したまま設置される。そのため前記水中モーターポンプが作動しながら発生するひどい振動によって、試錐孔岩壁に水中モーターポンプが衝突しながら損傷及び破損されるのはもちろん、故障の主原因になる。これにより寿命が短縮されて修理補修及び交換費用などの支出される問題点があった。これだけではなく前記揚水パイプは６Ｍの単位規格で成り立って所定の連結手段によって繰り返して連結されると共に、水中モーターポンプに連結されている電線及びワイヤロープ（以下「水中電線」と通称する）が縺れるとか絡み合うことが発生しやすくて断線や漏電、感電などの安全事故の危険性が非常に高い問題点があった。
【０００４】
ここで、前記のような問題点を解消しようと本発明と同一の出願人（発明者）によって先提案されたことがある韓国登録特許第１０-１０５３７１０（登録日：２０１１年０７月２７日）号の「水中モーターポンプの破損防止パッキング」または韓国登録特許第１０-１２４３２３１（登録日：２０１３年０３月０７日）号の「揚水パイプカップルリング」が従来の先行技術（特許文献）として公知となっている。これによれば揚水パイプにパッキングまたはカップルリングのような揚水パイプ案内手段を備えることにより、揚水パイプ及び水中モーターポンプを安全に施工することができるようにしている。
【０００５】
しかし、前記のような先行技術は、揚水パイプを試錐孔の中に挿入または引き上げる過程でパッキングが壁面にぶつかるとか、水中モーターポンプの振動と水中電線とワイヤが固定されていないため固定が緩んで、分離し易く、破損されるなどの問題点があった。また前記カップルリングの場合、所定の型枠（金型）から鋳造することにおいて、翼に水中電線とワイヤを巻くことができるように凹入溝を備える本体の外側に形成されているガイドによって型枠から鋳造した後、別に切削加工しなければならないので作業工程が増えて、加工不良の発生率が高くて生産性低下及び生産コストが上昇するなどの非効率的な問題点があった。
【０００６】
【特許文献１】韓国登録特許第１０−１０５３７１０（登録日：２０１１年０７月２７日、本発明と同一の発明者 ）
【特許文献２】韓国登録特許第１０-１２４３２３１（登録日：２０１３年０３月０７日、本発明と同一の発明者）
【発明の概要】
【発明が解決しようとする課題】
【０００７】
本発明の目的は、水中モーターポンプが付着した揚水パイプがパッキング及びカップルリングの案内に従って、試錐孔の中に安全に設置することができるようになると共に、前記パッキング及びカップルリングによって堅く固定させて耐久性を一層進めることができる深井戸用水中モーターポンプ保護揚水パイプを提供することにある。
【０００８】
また本発明の他の目的は、前記のカップルリングは鋳造型枠による大量生産で生産性向上及び生産工程を改善することができるようになる、深井戸用水中モーターポンプ保護揚水パイプを提供することにある。
【課題を解決するための手段】
【０００９】
本発明は、水中モーターポンプが付着する第１パイプと第２ ないし第３…第ｎパイプで連結された揚水パイプを試錐孔に施工するための案内手段が備えられた深井戸用水中モーターポンプ保護揚水パイプにおいて、前記第１パイプを包むように長手方向に沿って半分に分割されて上部及び下部に第１固定部が形成されて、前記第１固定部の間に拡張部が形成されて表面には長方向の切開部が形成されているパッキングと、前記第１固定部に結合してパッキングを揚水パイプに固定するクランプバンドとが備えられ、前記第１パイプに挟まれてパッキングの両端に固定されて、外面に形成される垂直型第１及び第２ガイドがお互いに交差するように射出成形することによって、前記第１及び第２ガイドの間に用意されている空間部によって電線及びワイヤロープが通過するようになった第１カップルリングで構成されることを特徴とする深井戸用水中モーターポンプ保護揚水パイプを提案することである。
【００１０】
また本発明によれば、前記第１カップルリングは第1ガイドに形成された突出部がクランプバンドの外側を挟みながら固定するように構成されることを特徴とする。
【００１１】
また本発明によれば、前記パッキングは複数の拡張部が所定の間隔で離隔されて前記拡張部の間に括れている第２固定部を形成して、クランプバンドで固定するように構成されることを特徴とする。
【００１２】
また本発明によれば、前記第１カップルリングは第１ガイドに形成された突出部がクランプバンドの外側を挟みながら固定するように構成されることを特徴とする。
【００１３】
また本発明によれば、前記パッキングは複数の拡張部が所定の間隔で離隔されて前記拡張部の間に括れている第２固定部を形成して、クランプバンドで固定するように構成されることを特徴とする。
【００１４】
また本発明によれば、前記第１ないし第ｎパイプの上端に付着して外面には垂直型第１及び第２ガイドをお互いに交差するように形成して、前記第１及び第２ガイドの間に用意された空間部で電線及びワイヤロープが通過するようになった第２カップルリングと、前記第１ないし第ｎパイプの下端に付着して第２カップルリングにネジ接続される連結管体とを含んで構成されることを特徴とする。
【００１５】
また本発明によれば、前記第２カップルリングは内側中間部に段差が形成されて前記段差の上部に、第１ないし第ｎパイプを挿入して接合して、下部に形成された雌ねじに連結管体がネジ接続するようになったことを特徴とする。
【図面の簡単な説明】
【００１６】
【図１】一般的な試錐孔Ｈに揚水パイプＰ及び水中モーターポンプＭの設置状態を示した図面である。
【図２】本発明の好ましい実施例による深井戸用水中モーターポンプ保護揚水パイプ１００を示した図面である。
【図３】本発明に係る深井戸用水中モーターポンプ保護揚水パイプの分離斜視図である。
【図４】本発明に係る深井戸用水中モーターポンプ保護揚水パイプを部分断面で示した正面図である。
【図５】前記図４の“Ａ”-“Ａ”線の断面で示した平面図である。
【発明を実施するための形態】
【００１７】
本発明は、水中モーターポンプＭが付着する第１パイプＰ１と第２ ないし第３…第ｎパイプＰ２、Ｐ３…Ｐｎで連結された揚水パイプＰを試錐孔Ｈに施工するための案内手段が備えられた深井戸用水中モーターポンプ保護パッキングと水中電線安全装置において、前記第１パイプＰ１を包むように長手方向に沿って半分に分割されて、上部及び下部に第１固定部１４が形成されて前記第１固定部１４の間に拡張部１２が形成されて表面には長方向の切開部１６、１８が形成されているパッキング１０と、前記第１固定部１４に結合してパッキング１０を揚水パイプＰに固定するクランプバンド２０とが備えられ、前記第１パイプＰ１に挟まれてパッキング１０の両端に固定されて外面に形成される垂直型第１及び第２ガイド３２、３４がお互いに交差するように射出成形することによって、前記第１及び第２ガイド３２、３４の間に用意されている空間部３５によって電線Ｅ及びワイヤロープＷが通過するようになった第１カップルリング３０で構成されることを特徴とする深井戸用水中モーターポンプ保護揚水パイプに関するものである。
【００１８】
以下、本発明の好ましい実施例を添付された図面を参照しながら詳しく説明する。本発明の実施例は当業者が本発明をより易しく理解するように提供されるものである。前記図面によれば本発明は、水中モーターポンプＭが付着する第１パイプＰ１と第２ないし第３…第ｎパイプＰ２、Ｐ３…Ｐｎで連結された揚水パイプＰを試錐孔Ｈに施工するための案内手段が備えられた深井戸用水中モーターポンプ保護揚水パイプにおいて、前記第１パイプＰ１を包むように長手方向に沿って半分に分割されて、上部及び下部に第１固定部１４が形成されて前記第１固定部１４の間に拡張部１２が形成されて表面には長方向の切開部１６、１８が形成されているパッキング１０と、前記第１固定部１４に結合してパッキング１０を揚水パイプＰに固定するクランプバンド２０とが備えられ、前記第１パイプＰ１に挟まれてパッキング１０の両端に固定されて外面に形成される垂直型第１及び第２ガイド３２、３４がお互いに交差するよう（互い違いとなるように）間部に射出成形することによって、前記第１及び第２ガイド３２、３４の間に用意されている空間部３５によって電線Ｅと、ワイヤロープＷが通過するようになった第１カップルリング３０とで構成されることを特徴とする。
【００１９】
以上を更に詳しくに説明すれば次のようである。
【００２０】
本発明に係る深井戸用水中モーターポンプ保護揚水パイプ１００は、揚水パイプＰに結合されるパッキング１０、クランプバンド２０、第１カップルリング３０及び第２カップルリング３０ａ並びに連結管体４０で構成される。前記揚水パイプＰは、水中モーターポンプＭが付着した第１パイプＰ１及び第２ないし第３…第ｎパイプＰ２、Ｐ３、…Ｐｎが第２カップルリング３０ａ及び連結管体４０によって長手方向に組み立てされて、第ｎパイプＰｎの上端部が地上に露出したまま各種計測器及びバルブなどが結合される。一方前記水中モーターポンプＭは、水中モーター及びタービンの高速回転力で水を吸い込んで揚水パイプＰによって地上に揚水するようになる。
【００２１】
前記パッキング１０は、試錐孔Ｈに挿入される用水パイプＰ、即ち、第１パイプＰ１および第２ないし第３…第ｎパイプＰ２、Ｐ３、…Ｐｎに選択的に結合して外部衝撃力を吸収緩和して揚水パイプの損傷を防止して、第１パイプの下端に付着した水中モーターポンプＭが安定的に動作するようになる。この場合、前記パッキング１０が揚水パイプＰの上端から下端まで付着したまま試錐孔Ｈの内面に沿ってすべり接触しながら安全に挿入を案内して、試錐孔の内面に弾力的に接触しながら揚水パイプの間に緩衝空間を形成する。
【００２２】
前記のパッキング１０は、中空の円筒形で揚水パイプに結合してまわりをくるんで、長手方向に沿って半分に分割形成して揚水パイプの両側から容易に結合される。そして上部及び下部に第１固定部１４を形成してクランプバンド２０に固定されて、前記第１固定部１４の間区間に突出輪１３を有する拡張部１２を形成して、パイプと試錐孔の間に緩衝空間を形成する。前記拡張部１２は円錐形で直径を拡張させて図面のように菱形形態に形成され、一つまたは複数が所定の間隔に備えられて、前記拡張部の中間に突出輪１３が形成される。
【００２３】
本発明によれば、前記パッキング１０は複数の拡張部１２が所定の間隔で離隔されて、前記拡張部１２の間に括れている第２固定部１５を形成してクランプバンド２０で固定するように構成されることを特徴とする。即ち前記パッキング１０は、一対の拡張部１２が上下所定の間隔で離隔されその間に形成される中間第２固定部１５にクランプバンド２０を巻いて第１パイプＰ１にしっかり固定するようになる。
【００２４】
これにより前記クランプバンド２０は第１及び第２固定部１４、１５を包んでしっかり締められて任意に離脱しないように固定力が作用する固定手段として、ねじを締める方向によって固定または解除されるタイクランプまたはケーブルタイ、束ね帯などを含んで構成される。
【００２５】
また前記パッキング１０は、拡張部及び固定部に長方向の切開部１６、１８を形成して直径が弾力的に拡張または縮小可能であり、また倍数が円滑になって前記切開部１６で電線やケーブルを通過させて架設が容易くて干渉及び損傷が防止される。
【００２６】
一方前記パッキング１０は、衝撃吸水性及び弾性が優秀な天然ゴム、合成ゴム、合成樹脂及びウレタンなどで形成されることが好ましい。
【００２７】
前記第１カップルリング３０は揚水パイプＰに挟まれたままパッキングの両端固定部に密着しながら、クランプバンドが弛緩されないように再び固定して、この場合、溶接などの結合手段でパイプに固定される。
【００２８】
前記第１カップルリング３０は、外面に垂直型第１ガイド３２及び第２ガイド３４を形成して岩壁に接触及び衝突を防止すると共に、電線及びワイヤロープを巻いてバンド処理して安全に固定及び離脱が防止される。前記第１ガイド３２ 及び第２ガイド３４は、所定の間隔を置いて上下で離隔されるが、円周方向でお互いに交差するように（互い違いとなるように）形成してその間に用意された空間部３５によって電線Ｅ及びワイヤロープＷが通過し、束ね帯（タイ）などを巻いてしっかり固定するようになる。この場合、前記第１カップルリング３０は、第１及び第２ガイドがお互いに交差するように形成されていて型枠（金型）による鋳物で大量生産が可能であり、別途の切削加工工程を必要としないので生産性が優秀である。一方前記第１及び第２ガイド３２、３４はパイプの規格（直径）によって４〜８個が同一の間隔で形成されて、６個ぐらいが一番好ましい。
【００２９】
特に本発明によれば、前記第１カップルリング３０は、第１ガイド３２に形成された突出部３３がクランプバンド２０の外側を挟みながら固定するように構成されることを特徴とする。即ち前記第１カップルリング３０は、第１ガイド３２ または第２ガイド３４の中で選択された何れか一つに形成される突出部３３が、前記クランプバンド２０の外側に掛かりながら任意に弛緩されないように固定し、外部衝撃力から安全に保護される。
【００３０】
また本発明によれば、前記第１ないし第ｎパイプＰ１…Ｐｎの上端に付着して、外面には垂直型第１及び第２ガイド３２、３４をお互いに交差するように（互い違いになるように）形成して、前記第１及び第２ガイド３２、３４の間に用意された空間部３５へ電線Ｅ及びワイヤロープＷが通過するようになった第２カップルリング３０ａと、前記第１ないし第ｎパイプＰ１… Ｐｎの下端に付着して第２カップルリング３０ａにネジ接続される連結管体４０とを含んで構成されることを特徴とする。即ち前記第２カップルリング３０ａは第１カップルリングと同一に外面に垂直型第１ガイド３２及び第２ガイド３４が所定の間隔を置いてお互いに交差するように形成することによって、その間に用意された空間部３５によって電線Ｅ及びワイヤロープＷが通過しながら絡められるようになる。これから前記の電線Ｅ及びワイヤロープＷが緩まないでパイプと一緒に試錐孔の中に安全に挿入されて、絡み合うとか縺れるなどの損傷を防止する。また前記第１及び第２ガイド３２、３４は角がなく丸い流線形で形成して、揚水パイプＰが試錐孔１００の中へ円満に進行するように案内される。
【００３１】
また本発明によれば、前記第２カップルリング３０ａは、内側中間部に段差３６が形成されて前記段差３６の上部に第１ないし第ｎパイプＰ１、Ｐ２…Ｐｎを挿入して接合して下部に形成された雌ねじ３７に連結管体４０がネジ接続するようになったことを特徴とする。即ち前記第２カップルリング３０ａを、第１ないし第ｎパイプＰ１…Ｐｎの上端または下端の中である一端に付着して、前記第１ないし第ｎパイプＰ１…Ｐｎの他側端部に結合された連結管体４０をねじで接続して、現場で手軽く連結することができるようになる。このために前記第２カップルリング３０ａの内側中間の段差３６上へ雌ねじ３７を形成して、連結管体４０の下部ねじ４２が組み立てされる。この場合、前記第２カップルリング３０ａは、段差下部の溝部３８に下部第１パイプが挟まれて溶接またはねじのような結合手段によって結合されて、前記連結管体４０もやはり上部溝部４４に第２パイプを結合手段で結合されている。
【００３２】
ここで前記第１パイプＰ１は、下端に付着した連結管体４０によって水中モーターポンプＭの上端連結で１にねじ結合して、またパッキング及び第１カップルリングを多段で挟んで固定した後に、上端には第２パイプＰ２の下端に付着した連結管体４０をネジ接続して作業工程を簡略化するようになる。
【００３３】
このように本発明に係る深井戸用水中モーターポンプ保護揚水パイプ１００は内壁に沿って、自然にすべり接触しながら揚水パイプＰが試錐孔Ｈへ円滑に挿入するように案内されて損傷されないように安全に保護する。前記揚水パイプＰには、パッキング１０及び第１、第２カップルリング３０、３０ａが強靭に付着したまま水中モーターポンプと揚水パイプが試錐孔の内壁に衝突しないように防止して故障や破損を防止して、寿命をはるかに延長して特に水中モーターポンプＭの強い振動や衝撃力を効果的に吸収緩和して安定的な作動が保障される。
【産業上の利用可能性】
【００３４】
本発明は、試錐孔の中に挿入される揚水パイプ及び水中モーターポンプを安全に保護することにより、岩壁にぶつかって損傷されるとか破損が防止されて水中モーターポンプと連結される電線やケーブルを安全に誘導して安定的な動作が保障される。それで地中深くに設置される水中モーターポンプを長期間故障なしに安定的に使うことができるようにするのはもちろん、試錐孔（深井戸）が埋没されるとか塞がって使えなくなるなどの弊端（事態）を予防して維持管理が容易であるという効果がある。
【００３５】
また本発明はパッキングの段部にカップルリングで密着させて、ガイドでしっかり固定させて、外部衝撃にもパッキングの固定が易しく弛緩されなく耐久性が増大される効果がある。
【００３６】
なによりも本発明は、カップルリングが型枠（金型）及び鋳物に鋳造して大量生産が可能になって、生産性向上、生産工程の自動化及び工程改善、加工費並びに生産コスト節減で製品の価格を下げるなどの経済的効果が隋伴されることである。
【符号の説明】
【００３７】
１０：パッキング           １２：拡張部 
１３：突出輪               １４：第１固定部
１５：第２固定部           １６：切開部
１８：切開部               ２０：クランプバンド 
３０：第１カップルリング
３０ａ：第２カップルリング  ３２：第１ガイド
３３：突出部             ３４：第２ガイド
３５：空間部              ３６：段差
３７：雌ねじ                 ３８、４４：溝部
４０：連結管体               ４２：ねじ
Ｅ：電線                     Ｐ：揚水パイプ
Ｐ１：第１パイプ             Ｐ２：第２パイプ 
Ｐ３：第３パイプ             Ｐｎ：第ｎパイプ
Ｈ：試錐孔                   Ｗ：ワイヤロープ
【図１】
2017514044.tif 000003
【図２】
2017514044.tif 000004
【図３】
2017514044.tif 000005
【図４】
2017514044.tif 000006
【図５】
2017514044.tif 000007
【国際調査報告】
2017514044.tif 000008
2017514044.tif 000009
2017514044.tif 000010
2017514044.tif 000011